(57)【要約】【課題】パチンコ台の選定における顧客の判断材料を新たに提供する。【解決手段】パチンコ台の過去の複数の出玉情報を対象に分析を行い、現在以降のスタート回数または打込数に応じた出玉数と特賞回数の値および発生率を出玉予測情報として生成するとともに前記出玉予測情報をインターネット網経由で顧客が得られるシステムを提供する。【選択図】図２
2005160973.tif 000002
【特許請求の範囲】
【請求項１】
複数のパチンコ店にそれぞれ設けられ前記パチンコ店毎の全てのパチンコ台の出玉情報を出玉管理用メモリにデータベースとして蓄積し管理する出玉管理用コンピュータより所定時間経過毎にネットワークを介して転送される出玉情報を取得して蓄積し、前記蓄積した出玉情報を分析することで前記パチンコ店毎の全てのパチンコ台の前記出玉情報を取得した時点以降の出玉予測情報を生成して前記出玉予測情報をホームページにそれぞれ公開するネットワーク用コンピュータを備えた出玉予測情報提供システ厶。
【請求項２】
複数のパチンコ店にそれぞれ設けられ前記パチンコ店毎の全てのパチンコ台の出玉情報を出玉管理用メモリにデータベースとして蓄積し管理する出玉管理用コンピュータより所定時間経過毎にネットワークを介して転送される出玉情報を取得して蓄積し、前記蓄積した出玉情報を分析することで前記パチンコ店毎の全てのパチンコ台の前記出玉情報を取得した時点以降の出玉予測情報を生成して顧客用電子メールアドレス宛に送信するネットワーク用コンピュータを備えた出玉予測情報提供システム。
【請求項３】
複数のパチンコ店にそれぞれ設けられ前記パチンコ店毎の全てのパチンコ台の出玉情報を出玉管理用メモリにデータベースとして蓄積し管理する出玉管理用コンピュータより所定時間経過毎にネットワークを介して転送される出玉情報を取得して蓄積し、前記蓄積した出玉情報を分析することで前記パチンコ店毎の全てのパチンコ台の前記出玉情報を取得した時点以降の出玉予測情報を生成して前記出玉予測情報をインターネットに接続された顧客用端末機に転送するネットワーク用コンピュータを備えた出玉予測情報提供システム。
【請求項４】
出玉予測情報提供料金を貯玉数または貯玉数に対応したポイント数に換算し、顧客が使用した貯玉数またはポイント数を該当するパチンコ店の貯玉管理用コンピュータに顧客の個人認証情報とともに通知できるように構成された請求項１ないし２ないし３いずれか記載の出玉予測情報提供システ厶。
【発明の詳細な説明】
【技術分野】
【０００１】本発明は、パチンコ店における複数のパチンコ台の出玉情報を顧客に提供するシステムに関するものである。
【背景技術】
【０００２】従来、この種のシステムとして、複数のパチンコ店の出玉管理用コンピュータより出玉情報を取得し前記取得した出玉情報をインターネット網を介してホームページでの公開およびメール配信により顧客に提供するネットワーク用コンピュータを備えた出玉情報提供システムが開示されている（特開２００２−８５７７８号）。
【発明の開示】
【発明が解決しようとする課題】
【０００３】しかし、上記従来の特開２００２−８５７７８号公報に示された出玉情報提供システムは、過去の結果である一時的な出玉情報だけを提供するもので、現在以降に玉がより多く出そうなパチンコ台の選定における顧客の判断材料としては乏しかった。本発明の目的は特定の分析方法により現在以降のパチンコ台の出玉予測情報を導き出すことで、パチンコ台の選定における顧客の判断材料を新たに提供することにある。
【課題を解決するための手段】
【０００４】かかる課題を解決するために、本発明は、複数のパチンコ店にそれぞれ設けられた出玉管理用コンピュータとネットワーク用コンピュータを接続し、前記ネットワーク用コンピュータは前記出玉管理用コンピュータより所定時間経過毎にネットワークを介して出玉数、スタート回数、特賞回数、打込数を含む出玉情報を取得し、前記出玉情報を蓄積するとともに前記蓄積された過去の複数の出玉情報を対象に分析を行い、現在以降のスタート回数または打込数に応じた出玉数と特賞回数の値および発生率を出玉予測情報として生成するとともに前記出玉予測情報をインターネット網経由で顧客が得られるシステムを提供することにある。ここで出玉数とは顧客が獲得したパチンコ玉の数であり、スタート回数とはパチンコ玉がスタート孔に入った回数である。特賞回数とはパチンコ玉がスタート孔に入って、パチンコ台中央に設けられた３つのスロットの数字又は絵（３つのデジタル表示の数字又は絵を含む。）が回転し、これらの数字又は絵が全て揃った回数であり、打込数とは顧客が使用したパチンコ玉の数である。
【発明の効果】
【０００５】以上説明したように本発明によれば、顧客はパチンコ台の選定において出玉予測情報という新たな情報を判断材料とすることができる。
【発明を実施するための最良の形態】
【０００６】以下、本発明の出玉予測情報提供システムを実施するための最良の形態について説明する。
【実施例】
【０００７】図１は複数のパチコン店に設置された出玉管理用コンピュータとネットワーク用コンピュータの構成を示したものである。複数のパチンコ店１１〜１３には出玉管理用コンピュータ１１ａ〜１３ａがそれぞれ設けられ、出玉管理用コンピュータ１１ａ〜１３ａはパチンコ店１１〜１３毎の全てのパチンコ台の出玉情報を出玉管理用メモリ１１ｂ〜１３ｂにデータベースとして蓄積し管理するように構成される。【０００８】また各出玉管理用コンピュータ１１ａ〜１３ａはＬＡＮ、専用回線、インターネット網といったネットワークを介してネットワーク用コンピュータ２０ａに接続され、ネットワーク用コンピュータ２０ａに対して各出玉管理用メモリ１１ｂ〜１３ｂから所定時間経過毎に出玉情報を転送する。【０００９】ネットワーク用コンピュータ２０ａは各出玉管理用コンピュータ１１ａ〜１３ａの出玉管理用メモリ１１ｂ〜１３ｂから転送された出玉情報を取得しネットワーク用管理メモリ２０ｂに蓄積し管理する。【００１０】図２はネットワーク用コンピュータ２０ａの内部構成を概念的に示したものである。例えばパチンコ店Ａに設置されているパチンコ台Ｂの新しい出玉情報はネットワーク用管理メモリ２０ｂに記憶されるが、このときネットワーク用管理メモリ２０ｂには前記パチンコ店Ａに設置されているパチンコ台Ｂの新しい出玉情報だけでなく過去の出玉情報も蓄積されている。【００１１】ネットワーク用コンピュータ２０ａではネットワーク用管理メモリ２０ｂに蓄積されているパチンコ店Ａに設置されているパチンコ台Ｂの過去のすべての出玉情報を知識情報として情報処理用メモリ２０ｃに取り込み、情報処理部２０ｄでは前記知識情報に対して推論処理を行い前記推論処理の結果を新たな出玉予測情報として情報処理用メモリ２０ｃに記憶するとともにネットワーク用管理メモリ２０ｂに蓄積する。【００１２】図３はネットワーク用コンピュータ２０ａと出玉予測情報の提供を受ける顧客用端末機の構成を示したものである。ネットワーク用コンピュータ２０ａと顧客用のネット対応携帯電話３０および顧客用のパーソナルコンピュータ３１はインターネット網によって接続される。なお、この実施の形態では、前記顧客用端末機としてネット対応携帯電話３０およびパーンナルコンピュータ３１を挙げたが、家庭用ゲーム機、ＰＤＡ、Ｗｅｂ−ＴＶ又はその他のインターネット・ブラウザ機能を備えた端末機でもよい。【００１３】ネットワーク用コンピュータ２０ａは顧客用端末機から入力された特定のパチンコ店の特定のパチンコ台を指定する情報をインターネット網を介して要求情報として受け取り、前記要求情報に該当する出玉予測情報をネットワーク用管理メモリ２０ｂから抽出する。【００１４】請求項１については、ネットワーク用コンピュータ２０ａは前記抽出した出玉予測情報を所定のホームページに公開する機能を有する構成とする。【００１５】請求項２については、ネットワーク用コンピュータ２０ａは前記抽出した出玉予測情報を顧客の指定したメールアドレスに送信する機能を有する構成とする。【００１６】請求項３については、ネットワーク用コンピュータ２０ａは前記抽出した出玉予測情報を顧客用端末機に転送する機能を有する構成とする。【００１７】図４は請求項４の実施例である複数のパチコン店に設置された貯玉管理用コンピュータとネットワーク用コンピュータ２０ａと顧客用端末機の構成を示したものである。複数のパチンコ店１１〜１３には貯玉管理用コンピュータ１１ｃ〜１３ｃがそれぞれ設けられ、貯玉管理用コンピュータ１１ｃ〜１３ｃはパチンコ店１１〜１３毎の顧客の個人認証情報とともに貯玉数または貯玉数に対応したポイント数を貯玉情報として貯玉管理用メモリ１１ｄ〜１３ｄにデータベースとして蓄積し管理するように構成される。顧客が請求項１ないし２ないし３いずれかの手段で出玉予測情報の提供を受ける場合、顧客は顧客用端末機より個人認証情報を入力し、インターネット網を介して前記個人認証情報をネットワーク用コンピュータ２０ａに転送する。ネットワーク用コンピュータ２０ａは取得した前記個人認証情報を該当する例えばパチンコ店１１の貯玉管理用コンピュータ１１ｃに転送するとともに該当する顧客の貯玉情報を貯玉管理用コンピュータ１１ｃに要求する。ネットワーク用コンピュータ２０ａから前記個人認証情報と該当する顧客の貯玉情報の要求を受けた貯玉管理用コンピュータ１１ｃは該当する顧客の貯玉情報を貯玉管理用メモリ１１ｄより抽出しネットワーク用コンピュータ２０ａに転送する。該当する顧客の貯玉情報を取得したネットワーク用コンピュータ２０ａは前記貯玉情報より利用可能な貯玉数または貯玉数に対応したポイント数を顧客に提示し、顧客が出玉予測情報の提供を受けた際は該当する顧客の個人認証情報とともに利用した出玉予測情報提供料金を貯玉数または貯玉数に対応したポイント数に換算した貯玉利用情報としてパチンコ店１１の貯玉管理用コンピュータ１１ｃに転送する。貯玉管理用コンピュータ１１ｃは取得した前記貯玉利用情報を基に貯玉管理用メモリ１１ｄにおけるその個人認証情報に対応する貯玉情報を書き換える。
【図面の簡単な説明】
【図１】本発明の一実施例である複数のパチコン店に設置された出玉管理用コンピュータとネットワーク用コンピュータの構成を示したものである。
【図２】本発明の一実施例であるネットワーク用コンピュータの内部構成を概念的に示したものである。
【図３】本発明の一実施例であるネットワーク用コンピュータと出玉予測情報の提供を受ける顧客用端末機の構成を示したものである。
【図４】本発明の一実施例である複数のパチコン店に設置された貯玉管理用コンピュータとネットワーク用コンピュータと顧客用端末機の構成を示したものである。
【符号の説明】
１１〜１３  パチンコ店
１１ａ〜１３ａ  出玉管理用コンピュータ
１１ｂ〜１３ｂ  出玉管理用メモリ
１１ｃ〜１３ｃ  貯玉管理用コンピュータ
１１ｄ〜１３ｄ  貯玉管理用メモリ
２０ａ  ネットワーク用コンピュータ
２０ｂ  ネットワーク用管理メモリ
２０ｃ  情報処理用メモリ
２０ｄ  情報処理部
３０  ネット対応携帯電話
３１  パーソナルコンピュータ
【図１】
2005160973.tif 000003
【図２】
2005160973.tif 000004
【図３】
2005160973.tif 000005
【図４】
2005160973.tif 000006